(57)【要約】【課題】ケガキ部材を衝突させずに、化学強化ガラスにスクライプラインの起点となるトリガ溝を形成する。【解決手段】化学強化ガラス（10）に接触させた状態のカッタホイールを化学強化ガラス（10）に対して相対的に移動させる移動工程を行いながら、化学強化ガラス（10）に直交する直交軸周りにカッタホイールを旋回させる旋回工程を行うことによりトリガ溝（1）を形成する。【選択図】図１
2015120609.tif 000002
【特許請求の範囲】
【請求項１】
脆性基板（10）にスクライブライン（11）を形成する前に、前記脆性基板（10）にスクライブライン（11）の起点となるトリガ溝（1）を形成するトリガ溝の形成方法であって、
前記脆性基板（10）に接触させた状態のカッタホイール（5）を前記脆性基板（10）に対して相対的に移動させる移動工程を行いながら、前記脆性基板（10）に直交する直交軸（8）周りに前記カッタホイール（5）を旋回させる旋回工程を行うことにより前記トリガ溝（1）が形成されることを特徴とする、トリガ溝の形成方法。
【請求項２】
前記移動工程は、前記カッタホイール（5）の旋回方向と同方向周りで曲線状の軌跡を描くように前記カッタホイール（5）を相対的に移動させることを特徴とする、請求項１に記載のトリガ溝の形成方法。
【請求項３】
前記旋回工程は、前記カッタホイール（5）を順方向へ旋回させた後に逆方向へ旋回させる動作が行われることを特徴とする、請求項１又は２に記載のトリガ溝の形成方法。
【請求項４】
脆性基板（10）にトリガ溝（1）を形成する形成装置であって、
カッタホイール（5）と、
前記カッタホイール（5）を前記脆性基板（10）に対して相対的に移動させる移動機構（15a,15b）と、
前記カッタホイール（5）を前記脆性基板（10）との接触点周りで旋回させる旋回機構（16）と、
前記移動機構（15a,15b）と前記旋回機構（16）とを制御する制御部（40）とを備え、
前記制御部（40）が前記移動機構（15a,15b）を駆動させながら前記旋回機構（16）を駆動させることにより、前記トリガ溝（1）が形成されることを特徴とする形成装置。
【請求項５】
前記制御部（40）は、前記移動機構（15a,15b）を制御して前記カッタホイール（5）が旋回する方向へ向かって曲線状の軌跡を描くように前記カッタホイール（5）を相対的に移動させることを特徴とする、請求項４に記載の形成装置。
【発明の詳細な説明】
【技術分野】
【０００１】
本発明は、脆性基板のスクライブラインの起点となるトリガ溝の形成方法及びそれを用いた形成装置に関するものである。
【背景技術】
【０００２】
従来より、脆性基板にスクライブラインを形成する前に、このスクライブラインの起点となる微小な溝（以下、トリガ溝という。）を脆性基板の端縁の内側に形成する方法が知られている。
【０００３】
この脆性基板、特に化学強化ガラス等の硬化脆性基板は、その表面に高硬度の圧縮応力層が形成されているため、カッタホイールを用いてスクライブラインを形成しようとしても、カッタホイールが脆性基板の表面上でスリップしてしまい、スクライブラインを形成しにくかった。上述のトリガ溝を形成すれば、カッタホイールの刃先をトリガ溝に合わせることで、カッタホイールが脆性基板に引っかかり、カッタホイールがスリップせずにスクライブラインを形成することが可能となる。
そして、これらのトリガ溝の形成方法の中には、特許文献１に示すように、ケガキ部材を上方から脆性基板へ向かって下降させ、ケガキ部材を脆性基板に衝突させることによって、上述の圧縮応力層を突き破ってトリガ溝を形成するものがある。
【先行技術文献】
【特許文献】
【０００４】
【特許文献１】特開２０１３−９５６４２号公報
【発明の概要】
【発明が解決しようとする課題】
【０００５】
しかしながら、従来の場合、ケガキ部材を脆性基板に衝突させる際の衝突荷重が小さいとトリガ溝が形成されず、衝突荷重が大きいと強化ガラスに割れが生じることから、衝突荷重の調整が困難であると考えられる。
【０００６】
本発明は、かかる点に鑑みてなされたものであり、その目的は、ケガキ部材を衝突させずに、脆性基板にスクライプラインの起点となるトリガ溝を形成することにある。
【課題を解決するための手段】
【０００７】
本発明は、脆性基板（10）にスクライブライン（11）を形成する前に、前記脆性基板（10）にスクライブライン（11）の起点となるトリガ溝（1）を形成するトリガ溝の形成方法を前提とする。そして、前記脆性基板（10）に接触させた状態のカッタホイール（5）を前記脆性基板（10）に対して相対的に移動させる移動工程を行いながら、前記脆性基板（10）に直交する直交軸（8）周りに前記カッタホイール（5）を旋回させる旋回工程を行うことにより前記トリガ溝（1）が形成される。
また、本発明の移動工程は、前記カッタホイール（5）の旋回方向と同方向周りで曲線状の軌跡を描くように前記カッタホイール（5）を相対的に移動させるようにしてもよい。
また、本発明の旋回工程は、前記カッタホイール（5）を順方向へ旋回させた後に逆方向へ旋回させる動作が行われるようにしてもよい。
第２の発明は、脆性基板（10）にトリガ溝（1）を形成する形成装置を前提とする。そして、カッタホイール（5）と、前記カッタホイール（5）を前記脆性基板（10）に対して相対的に移動させる移動機構（15a,15b）と、前記カッタホイール（5）を前記脆性基板（10）との接触点周りで旋回させる旋回機構（16）と、前記移動機構（15a,15b）と前記旋回機構（16）とを制御する制御部（40）とを備え、前記制御部（40）が前記移動機構（15a,15b）を駆動させながら前記旋回機構（16）を駆動させることにより、前記トリガ溝（1）が形成される。
また、第２の発明の制御部（40）は、前記移動機構（15a,15b）を制御して前記カッタホイール（5）が旋回する方向へ向かって曲線状の軌跡を描くように前記カッタホイール（5）を相対的に移動させてもよい。
【発明の効果】
【０００８】
本発明によれば、移動工程の間に旋回工程を行い、移動中のカッタホイールの向きを変えることにより、カッタホイールを脆性基板に引っかかり易くなる。カッタホイールが脆性基板に引っかかると、カッタホイールと脆性基板との接触抵抗が大きくなって脆性基板にトリガ溝（1）が形成される。このように、従来のトリガ溝（1）の形成方法とは違い、ケガキ部材を脆性基板に衝突させることなく、脆性基板にスクライプラインの起点となるトリガ溝（1）を形成することができる。
【図面の簡単な説明】
【０００９】
【図１】図１は、本発明の一実施形態のトリガ溝の形成方法において、化学強化ガラスを異形切断する場合のトリガ溝とスクライブラインとの位置関係を示す図である。
【図２】図２は、図１のＡ部の拡大図である。
【図３】図３は、カッタホイールと直交軸との関係を示す概略図である。
【図４】図４は、化学強化ガラスを矩形切断する場合のトリガ溝とスクライブラインとの位置関係を示す図である。
【図５】図５は、図４のＢ部の拡大図である。
【図６】図６は、一実施形態の変形例に係るトリガ溝の形成方法で、図１及び図４のＡ部に位置するトリガ溝を形成した場合の図である。
【図７】図７は、一実施形態の変形例に係るトリガ溝の形成方法で、図４のＢ部に位置するトリガ溝を形成した場合の図である。
【図８】図８は、本発明の一実施形態のスクライブライン形成装置の概略図である。
【図９】図９は、スクライブライン形成装置の本体部の概略図である。
【図１０】図１０は、接触痕の軌道とカッタホイールの刃の向きとを対応させて示した図である。
【発明を実施するための形態】
【００１０】
本発明の一実施形態に係るトリガ溝（1）の形成方法について説明する。このトリガ溝（1）は、脆性基板にスクライブライン（11）を形成する起点となるものである。
【００１１】
一実施形態では、硬化脆性基板の一例である化学強化ガラスが脆性基板として用いられる。尚、硬化脆性基板は、一実施形態の脆性基板に含まれるものである。この化学強化ガラス（10）は、表面に圧縮応力層が形成されている。この圧縮応力層により化学ガラス自体が割れにくくなっている。所定の形状に割断された化学強化ガラス（10）は、例えば携帯電話のカバーガラスとして利用される。一実施形態の化学強化ガラス（10）は、その厚みが０．４〜１．３ｍｍであるものが好ましい。また、圧縮応力層の厚みが１０〜５０μｍであるものが好ましい。また、圧縮応力が５００ＭＰａであるものが好ましい。尚、これらの数値は例示であり、これらの数値以外の化学強化ガラス（10）に本発明のトリガ溝の形成方法を適用することを妨げるものではない。
【００１２】
また、一実施形態では、トリガ溝（1）を形成する手段として、カッタホイール（5）が用いられる。このカッタホイール（5）は、円板状のホイールの円周部に沿ってＶ字形の刃が形成されたものである。一実施形態のカッタホイール（5）は、直径が１．０〜６．０ｍｍであるものが好ましい。また、刃先角度が１００〜１５５°であるものが好ましい。尚、刃の形状は、単なる例示であり、一実施形態の刃の形状に限定されるものではない。
【００１３】
また、後述するが、カッタホイール（5）の刃の向きを変えることによってトリガ溝（1）が形成される。従って、刃の稜線は単なる円形のものでよく、化学強化ガラス（10）の圧縮応力層にカッタホイール（5）の刃が引っかかり易くなるように、刃の稜線に凹凸加工を施さなくてもよい。しかしながら、刃の稜線に凹凸加工が施されたカッタホイール（5）を用いた場合であっても、カッタホイール（5）の刃の向きを変えることによってトリガ溝（1）を形成することは可能であり、凹凸加工のカッタに対して本発明のトリガ溝（1）の形成方法を適用することを妨げるものではない。
【００１４】
図１は、化学強化ガラスを異形切断する場合のトリガ溝（1）とスクライブライン（11）との位置関係を示す図である。ここで、異形切断とは、矩形以外の形状に切断することをいう。図１のＡ部がトリガ溝（1）の形成位置を示している。図１の一点鎖線は、スクライブライン（11）の仮想線である。図１の場合、化学強化ガラス（10）がスクライブライン（11）に沿って切断されることにより、矩形の角が丸みを帯びた形状のものが複数形成される。
【００１５】
図２は、図１のＡ部の拡大図である。図２には、カッタホイール（5）によって描かれた接触痕（2）が示されている。この接触痕（2）は、Ｌ字の角が丸みを帯びた形状であり、その丸みの部分にトリガ溝（1）が形成されている。
【００１６】
まず、カッタホイール（5）の刃をＹ方向へ向けた状態で、カッタホイール（5）を化学強化ガラス（10）に設定された始点（図２のＳ点）に接触させる。その接触させた状態のカッタホイール（5）を化学強化ガラス（10）のＹ方向に沿ってプラス側からマイナス側へ移動させる。カッタホイール（5）は、この圧縮応力層の上をスリップしながらＹ方向へ直線的に進むため、このときの接触痕（2）の溝深さは、トリガ溝（1）及びスクライブライン（11）の溝深さに比べて浅くなっている。
【００１７】
カッタホイール（5）をＹ方向に沿って直線的に進めた後に、カッタホイール（5）と化学強化ガラス（10）との接触点から化学強化ガラス（10）に直交する方向へ延びる直交軸（8）（図３を参照）周りにカッタホイール（5）を旋回させて、カッタホイール（5）の刃の向きを変えつつ、カッタホイール（5）を曲線状の軌跡を描くように相対的に曲線移動させる。この曲線状の軌跡を描くような移動が本発明の移動工程であり、この旋回が本発明の旋回工程である。尚、カッタホイール（5）の旋回工程は、例えば、カッタホイール（5）のホルダを上述の直交軸（8）周りに回転自在に支持するベアリングを用いて、カッタホイール（5）の移動方向にならうようにカッタホイール（5）を旋回させてもよいし、これとは違いモータ等で強制的にカッタホイール（5）を旋回させてもよい。
【００１８】
一実施形態では、半径Ｒで中心角９０°の円弧となる曲線状の軌跡を描くように図２の反時計周りにカッタホイール（5）が相対的に移動する。尚、この曲線状の軌跡は、単なる例示であり、上述のものに限定されない。例えば、上述の中心角は０°以上９０°未満の範囲内であってもよい。また、一実施形態の移動工程では、旋回工程でのカッタホイール（5）の旋回方向と同方向へ向かって曲線状の軌跡を描くように移動する。
【００１９】
このように、カッタホイール（5）を曲線移動させながらカッタホイール（5）の刃の向きを変えることにより、カッタホイール（5）の刃が化学強化ガラス（10）に引っかかって、上述の接触痕（2）を深くすることができる。この接触痕（2）の深い部分がトリガ溝（1）となる。このトリガ溝（1）が形成されることにより、カッタホイール（5）がスリップしなくなり、このトリガ溝（1）が起点となって、スクライブライン（11）がＸ方向に沿って形成される。
【００２０】
ここで、カッタホイール（5）を化学強化ガラス（10）に押し付けるときの圧力（以下、切圧という。）を、カッタホイール（5）をＹ方向へスリップを伴いながら所定距離だけ直線的に進める第１セクションのとき（図２の符号６１を参照）、カッタホイール（5）を旋回させながら曲線移動させてトリガ溝を形成する第２セクションのとき（図２の符号６２を参照）、カッタホイール（5）をＸ方向へ所定距離だけ直線的に進めて予備的なスクライブラインを形成する第３セクションのとき（図２の符号６３を参照）、カッタホイール（5）を移動させて所望の輪郭のスクライブライン（11）を形成する第４セクションのとき（図２の符号６４を参照）、の各セクションに応じて可変にしてもよい。尚、第１ステップの切圧は、カッタホイール（5）にダメージを与えずにカッタホイール（5）の向きをＹ方向へ向ける程度の圧力でよい。一実施形態では、スクライブライン（11）の溝深さは、トリガ溝（1）の溝深さに比べて深くなっている。
【００２１】
また、一実施形態では、カッタホイール（5）を停止させることなく第１から第４セクジョンまで一気に移動させながら各セクションでの切圧を変更するが、これに限定されず、例えば、次のセクションへ移る際に、タイマ等を用いて所定時間だけカッタホイール（5）を停止させるようにしてもよい。これにより、ポジションごとに確実に切圧を切り換えることができる。
【００２２】
また、一実施形態では、カッタホイール（5）を化学強化ガラス（10）から離すことなく第１から第４セクションまで一気に移動させるが、これに限定されず、第１から第４セクションの途中で、カッタホイール（5）を化学強化ガラス（10）から離したり、カッタホイール（5）を後退させたりしてもよい。例えば、第２セクション時にトリガ溝（1）を形成した後、カッタホイール（5）を一旦化学強化ガラス（10）から離し、カッタホイール（5）を後退させた後に降下させて、カッタホイール（5）をトリガ溝（1）に合わせた後に第３セクションから再開するようにしてもよい。
【００２３】
図２に示すように、カッタホイール（5）が所定の距離だけ進み、スクライブライン（11）がＸ方向に沿って所定の長さだけ形成された後に、カッタホイール（5）がさらに停止することなく進み、矩形の角が丸みを帯びた形状のスクライブライン（11）が、いわゆる一筆書きで形成される。その後、カッタホイール（5）を次の始点へ向かって移動させ、その始点にカッタホイール（5）を接触させた後、上述した動作を繰り返すことによって、再びトリガ溝（1）とスクライブライン（11）とが形成される。
【００２４】
尚、一実施形態では、カッタホイール（5）を停止させることなく、トリガ溝（1）に引き続いてスクライブライン（11）が連続的に形成されるが、これに限定されず、例えば、トリガ溝（1）の形成後に、カッタホイール（5）の刃がＸ方向へ向いた状態でカッタホイール（5）がＸ方向に沿ってマイナス側からプラス側へ所定の距離だけ移動して停止し、カッタホイール（5）が化学強化ガラス（10）から離れる。この後、カッタホイール（5）の刃をＸ方向に向けたまま、その刃をトリガ溝（1）に合わせて、カッタホイール（5）を強化ガラス（10）に引っかけた後に、スクライブライン（11）を形成するようにしてもよい。
【００２５】
また、図４に示すように、化学強化ガラス（10）のＹ方向とＸ方向に沿って並んだ複数のトリガ溝（1）が起点となってスクライブライン（11）を形成することも可能である。この場合には、Ｙ方向とＸ方向に沿うスクライブライン（11）が交差することにより、矩形状のものが複数形成される。
【００２６】
図４のＡ部のトリガ溝（1）は、図１のＡ部のトリガ溝（1）と同じ方法で形成されるため、説明を省略し、以下、図４のＢ部のトリガ溝（1）の形成方法について説明する。
【００２７】
図５は、図４のＢ部の拡大図である。この場合には、カッタホイール（5）が、旋回を伴わずにＸ方向に沿ってマイナス側からプラス側へ直線的に移動した後に、旋回を伴いながら曲線的に移動する際にトリガ溝（1）が形成されるとともに、そのトリガ溝（1）を起点として連続的にＹ方向へ延びるスクライブライン（11）が形成される。
【００２８】
以上のように、従来のトリガ溝（1）の形成方法とは違い、ケガキ部材を化学強化ガラス（10）に衝突させることなく、カッタホイール（5）を旋回させるだけで、化学強化ガラス（10）にトリガ溝（1）を形成することができる。そして、カッタホイール（5）の刃先がトリガ溝（1）を介して化学強化ガラス（10）に引っかかり、カッタホイール（5）がスリップせずに移動することにより、スクライブライン（11）の形成を容易にすることができる。
【００２９】
―実施形態の変形例―
この変形例では、上述の旋回工程の旋回が連続して２回行われる点において、一実施形態とは異なる。以下、一実施形態と異なる点について重点的に説明する。
【００３０】
図６のトリガ溝（1）の場合、カッタホイール（5）をＸ方向に沿ってマイナス側からプラス側へ進めた後に、半径Ｒで中心角９０°の円弧を描くようにカッタホイール（5）を時計回りに移動させる。この曲線移動を伴いながらカッタホイール（5）が図６の時計回り（順方向）に９０°旋回する。
【００３１】
この１回目の旋回に引き続いて２回目の旋回が行われる。この２回目では、カッタホイール（5）を上述の円弧を描くように反時計回り（反対方向）に移動させながらカッタホイール（5）が図６の反時計回りに９０°旋回する。この変形例では、２回目の旋回時にトリガ溝（1）が形成され、このトリガ溝（1）に引き続いてスクライブライン（11）が連続的に形成される。
【００３２】
このように、一実施形態とは違い、旋回を１回ではなく２回行うことによって、トリガ溝（1）を確実に形成することができる。変形例の場合、２回目の旋回でトリガ溝（1）が形成されているが、これに限定されず、１回目の旋回でトリガ溝（1）が形成されてもよい。また、旋回の回数は２回に限定されるものではなく、３回以上であってもよい。旋回が３回以上であっても、カッタホイール（5）の旋回方向は、順方向への回転と逆方向への回転とを交互に繰り返すようにする。これにより、トリガ溝（1）を強化ガラス（10）に確実に形成することができる。
【００３３】
図７のトリガ溝（1）の場合、カッタホイール（5）が、旋回を伴わずにＹ方向に沿ってマイナス側からプラス側へ直線的に移動した後に、２回の旋回を伴いながら曲線的に移動することにより、トリガ溝（1）が形成され、このトリガ溝（1）に引き続いてスクライブライン（11）が連続的に形成される。
【００３４】
―スクライブライン形成装置―
次に、上述のトリガ溝（1）の形成方法を実施する形成装置としてのスクライブライン形成装置（50）について説明する。このスクライブライン形成装置（50）は、トリガ溝（1）を形成した後にそのトリガ溝（1）を起点としてスクライブライン（11）を形成するように構成されるものである。
【００３５】
このスクライブライン形成装置（50）は、図８に示すように、テーブル（20）と支持部（30）と本体部（35）と制御部（40）とを備えている。テーブル（20）は、その最上面が矩形状の平面に形成されている。この平面の上に強化ガラス（10）が載せられている。テーブル（20）の両側面には、テーブル（20）の長手方向（Ｙ方向）へ延びる第１ガイドレール（21）が取り付けられている。支持部（30）は、このテーブル（20）の第１ガイドレール（21）に移動自在に係合する係合部を介してテーブル（20）に支持されている。支持部（30）には、テーブル（20）の短手方向（Ｘ方向）へ延びる第２ガイドレール（31）がテーブル（20）の上側に位置するように取り付けられている。本体部（35）は、この支持部（30）の第２ガイドレール（31）に移動自在に係合する係合部を介して支持部（30）に保持されている。
この第１ガイドレール（21）とその係合部、第２ガイドレール（31）とその係合部が、本発明の移動機構である。
【００３６】
支持部（30）には、移動機構の駆動源としての第１移動モータ（15a）が設けられている。この第１移動モータ（15a）は、支持部（30）の両端に取り付けられている。この第１移動モータ（15a）を駆動させると、テーブル（20）の第１ガイドレール（21）に沿って支持部（30）が図８のＹ方向へ移動する。
【００３７】
本体部（35）は、図９に示すように、カッタホイール（5）と、カッタホルダ（6）と、移動機構の駆動源としての第２移動モータ（15b）と、旋回モータ（16）と、上下移動モータ（17）とを備えている。カッタホイール（5）は、円板状のホイールの円周部に沿ってＶ字形の刃が形成されたものである。カッタホルダ（6）は、その先端部でカッタホイール（5）を回転自在に支持している。
【００３８】
また、カッタホルダ（6）は、本体部（35）に固定された、旋回機構としてのベアリング（9）を介して回転自在に支持されている。尚、一実施形態の旋回モータ（16）は、トリガ溝（1）及びスクライブライン（11）を形成する前の段階でカッタホイール（5）及びカッタホルダ（6）を本体部（35）が進む方向へ予め向けておくためのものであり、トリガ溝（1）及びスクライブライン（11）の形成時には、上述のベアリング（9）によって、第１移動モータ（15a）及び第２移動モータ（15b）の２軸制御による本体部（35）の曲線移動に倣うように、カッタホルダ（6）とカッタホイール（5）とが旋回する。しかしながら、トリガ溝（1）及びスクライブライン（11）の形成時に、旋回モータ（16）によってカッタホイール（5）を旋回させることを妨げるものではない。
【００３９】
第２移動モータ（15b）を駆動させると、支持部（30）の第２ガイドレール（31）に沿って本体部（35）が図８のＸ方向へ移動する。旋回モータ（16）を駆動させると、強化ガラス（10）の直交軸（8）周りにカッタホルダ（6）が旋回する。この旋回により、カッタホイール（5）の向きが変更される。尚、このスクライブライン形成装置（50）では、この直交軸（8）がカッタホルダ（6）の回転軸（9a）からずれた位置にあるが、カッタホルダ（6）の取り付け位置を一実施形態の位置から偏心させ、カッタホイール（5）の直交軸（8）とカッタホルダ（6）の回転軸（9a）を一致させることも可能である。上下移動モータ（17）を駆動させると、カッタホルダ（6）と旋回モータ（16）とが上下に移動する。これにより、カッタホイール（5）が上下に移動する。
【００４０】
制御部（40）は、移動モータ（15a,15b）と旋回モータ（16）と上下移動モータ（17）とを制御するものである。これらのモータ（15a,15b,16,17）を制御してトリガ溝（1）とスクライブライン（11）とを形成する。以下、この制御部（40）の動作について説明する。
【００４１】
図１０は、スクライブライン形成装置（50）によるトリガ溝（1）の形成過程において、カッタホイール（5）の旋回が２回の場合の接触痕（2）の軌道とカッタホイール（5）の刃の向きとを対応させて示す図である。
【００４２】
制御部（40）は、第１移動モータ（15a）と第２移動モータ（15b）とを駆動させて、図１０（ａ）に示すように、カッタホイール（5）を所定の位置へ移動させる。次に、上下移動モータ（17）を駆動させて、図１０（ｂ）に示すように、カッタホイール（5）を化学強化ガラス（10）に接触させる。次に、第２移動モータ（15b）を駆動させて、図１０（ｃ）に示すように、化学強化ガラス（10）に接触させた状態のカッタホイール（5）をＸ方向へ移動させて、図１０（ｄ）に示すように、第１移動モータ（15a）と第２移動モータ（15b）とを駆動させて、円弧を描くように時計回りにカッタホイール（5）を曲線移動させながらカッタホイール（5）を時計回り（順方向）に９０°旋回させる。
【００４３】
１回目の旋回の終了後に連続して２回目の旋回が行われ、図１０（ｅ）に示すように、第１移動モータ（15a）と第２移動モータ（15b）とを駆動させて、円弧を描くように反時計回りにカッタホイール（5）を曲線移動させながらカッタホイール（5）を反時計回り（逆方向）に９０°旋回させる。２回の旋回によって、化学強化ガラス（10）にトリガ溝（1）が形成される。
【００４４】
その後、第２移動モータ（15b）のみを駆動させて、図１０（ｆ）に示すように、カッタホイール（5）をＸ方向へ移動させ、トリガ溝（1）を起点とするスクライブライン（11）とを形成する。
【００４５】
（その他の実施形態）
一実施形態では、カッタホイール（5）を移動させ且つ化学強化ガラス（10）を固定させてトリガ溝（1）とスクライブライン（11）とを形成したが、これに限定されず、化学強化ガラス（10）が載ったテーブル（20）を移動させ且つカッタホイール（5）を固定させてトリガ溝（1）とスクライブライン（11）とを形成してもよい。
【００４６】
また、一実施形態では、脆性基板として化学強化ガラスが用いられたが、これに限定されず、例えば、圧縮応力層のない強化ガラスであってもよい。また、厚みが薄い脆性基板
の場合には、その基板の切り始めにカッタホイール（5）がスリップしないようにカッタホイール（5）の切圧を上げるが、このとき切圧を上げ過ぎると、脆性基板が割れてしまうという問題があるが、本発明の方法の場合、カッタホイール（5）のスリップ防止のため切圧を上げる必要はなく、カッタホイール（5）の刃の向きを変えるだけでトリガ溝（1）を形成することができる。また、脆性基板はガラス板に限られない。
【産業上の利用可能性】
【００４７】
以上、説明したように、本発明は、脆性基板のスクライブラインの起点となるトリガ溝の形成方法及びそれを用いたスクライブライン形成装置について有用である。
【符号の説明】
【００４８】
１      トリガ溝
５      カッタホイール
１０    化学強化ガラス（脆性基板）
１１    スクライブライン
１５ａ  第１移動モータ
１５ｂ  第２移動モータ
３０    支持部
３５    本体部
４０    制御部
５０    スクライブライン形成装置（形成装置）
【図１】
2015120609.tif 000003
【図２】
2015120609.tif 000004
【図４】
2015120609.tif 000005
【図５】
2015120609.tif 000006
【図６】
2015120609.tif 000007
【図７】
2015120609.tif 000008
【図８】
2015120609.tif 000009
【図９】
2015120609.tif 000010
【図１０】
2015120609.tif 000011
【図３】
2015120609.tif 000012